(57)【要約】【課題】獣畜、とくに感染性の病気に罹った獣畜を、その飼育場に移動設置し、その場で直ちに殺菌処分することができる車載式感染獣畜レンダリング処理装置を提供する。【解決手段】牽引車両に連結可能なトレーラーシャーシ１５上に、感染獣畜を連続的に破砕する破砕機２と、熱媒を油とする温度自動制御機能付きの電気ヒーター加熱装置１２より循環加熱された加熱殺菌容器６と、破砕機２にて破砕された獣畜体を加熱殺菌容器６に搬送する原料ポンプスクリュー３及び第１ラメラポンプ４と、第１ラメラポンプ４と加熱殺菌容器６とを繋ぐ原料移送パイプ５と、第２ラメラポンプ９にて加熱殺菌処理後の獣畜体を加熱殺菌容器６から搬出する製品払出スクリュー７、製品ポンプ供給スクリュー８並びに製品移送パイプ１０を介して蓋付密封金属容器１１に移送充填し、化製工場へ搬送する。【選択図】  図１
2012217629.tif 000002
【特許請求の範囲】
【請求項１】
感染獣畜を連続的に破砕する破砕機と、熱媒を油とする温度自動制御機能付きの電気ヒーター加熱装置より循環加熱された加熱殺菌容器と、前記破砕機にて破砕された獣畜体を前記加熱殺菌容器に搬送する第１のラメラポンプと、加熱殺菌された破砕獣畜体を蓋付密閉容器に移送充填する第２のラメラポンプとを備え、これらの装置機器をトレーラーシャーシ上に搭載し、移動用車両と連結可能にしたことを特徴とする車載式感染獣畜レンダリング処理装置。
【請求項２】
別途併走した電源供給設備より電力を配電盤に接続し、破砕機から第２ラメラポンプエリアを隔離する障壁を仮設することを特徴とする請求項１記載の車載式感染獣畜レンダリング処理装置。
【発明の詳細な説明】
【技術分野】
【０００１】
本発明は、口蹄疫等の重大な伝染病の発生時に、患畜の死体の埋却地の確保が困難な場合であっても迅速に殺処分が可能となるよう、埋却に代わる死体の処理方法を確立することができる移動式のレンダリング処理装置に関するものである。
【背景技術】
【０００２】
通常、食肉処理後の畜産副産物や死亡家畜等は、化製場、あるいは病死した獣畜の解体及びその後の埋却や焼却を行う死亡獣畜取扱場で行われるが、飼育場から各施設への死亡獣畜の運搬は動物質原料運搬業者がトラックにて行っている。そこで、従来、例えば、特許文献１には、家畜の死体を収容する容器と、該容器の一端に設けた細砕装置と、該容器の他端に設けた加圧装置とから成る家畜の死体細砕処理装置が記載されている。また、特許文献２には、一般家庭から出る食品残渣などの有機廃棄物を投入でき、熱風が供給され、かつ回転力が伝達されるように構成した回転ドラムを有し、有機廃棄物と同時に所望量の土壌菌を混入し、有機廃棄物を分解することができるようにした有機廃棄物処理システムが開示されている。一方、特許文献３には、掘削土を受け入れるホッパと、そのホッパに受け入れた掘削土を篩装置に向けて搬送する搬送装置と、その搬送装置の搬送経路に、搬送される土壌に石灰を供給する石灰供給装置とを共に車両に搭載した車両式掘削土処理装置が、特許文献４には、トラックの荷台上に、水プラズマ発生装置を備えたプラズマ処理ユニットと、発電機を備えた発電・機械用ユニットと、有害廃棄物を収容する処理材タンクを設置した作業エリアとを各別に配置した車載式水プラズマ有害廃棄物処理装置が提案されている。
【先行技術文献】
【特許文献】
【０００３】
【特許文献１】特公平８−２４８５４号公報
【特許文献２】特開２００１−３２１７５５号公報
【特許文献３】特開２０００−１２０１０１号公報
【特許文献４】特許第４４３２０８６号公報
【発明の概要】
【発明が解決しようとする課題】
【０００４】
しかしながら、口蹄疫や鳥インフルエンザ等に感染した大量の獣畜の死体処理には、処分場までの運搬、埋設穴の掘削に多大な労力とコストを要するばかりでなく、運搬中に汚染が拡大するおそれも否めないことから迅速な処理が切望される。本発明は、上記従来の課題に鑑み、獣畜、とくに感染性の病気に罹った獣畜を、その飼育場に移動設置し、その場で直ちに殺菌処分することができる車載式感染獣畜レンダリング処理装置を提供することを目的とする。
【課題を解決するための手段】
【０００５】
このため、本発明の車載式感染獣畜レンダリング処理装置は、感染獣畜を連続的に破砕する破砕機と、熱媒を油とする温度自動制御機能付きの電気ヒーター加熱装置より循環加熱された加熱殺菌容器と、前記破砕機にて破砕された獣畜体を前記加熱殺菌容器に搬送する第１のラメラポンプと、加熱殺菌された破砕獣畜体を蓋付密閉容器に移送充填する第２のラメラポンプとを備え、これらの装置機器をトレーラーシャーシ上に搭載し、移動用車両と連結可能にしたことを特徴とする。
【発明の効果】
【０００６】
本発明は以下の優れた効果を奏する。
（１）感染獣畜を飼育場にて直ちに処理することができ、処分場までの運搬、埋設穴の掘削にかかる多大な労力とコストを削減することができるばかりでなく、運搬中の汚染拡大を防止することができる。
（２）レンダリング設備を運搬して作動させることが可能になり、移動が困難な感畜等をその保管場所で処理することができる。すなわち、牽引車両が移動できる場所であればどのような場所にでも移動してその場で殺菌処理することができる。
【図面の簡単な説明】
【０００７】
【図１】本発明に係る車載式感染獣畜レンダリング処理装置の構成を模式的に示すブロック図である。
【図２】本発明に係る車載式感染獣畜レンダリング処理装置の側面図である。
【図３】本発明に係る車載式感染獣畜レンダリング処理装置の平面図である。
【図４】本発明に係る車載式感染獣畜レンダリング処理装置の背面図である。
【図５】本発明に係る車載式感染獣畜レンダリング処理装置の背面側から見た斜視図である。
【図６】本発明に係る車載式感染獣畜レンダリング処理装置の正面側から見た斜視図である。
【発明を実施するための形態】
【実施例】
【０００８】
以下、本発明の実施の形態を図面に示す実施例にもとづいて説明するが、本発明はこれに限定されるものではない。
【０００９】
図１乃至図６に示すように、本発明に係る車載式感染獣畜レンダリング処理装置は、トレーラーシャーシ１５上に、上部が開口された原料投入ホッパー１を備え、投入された感染獣畜（以下、便宜上「原料」と称する）を連続的に破砕する破砕機２と、熱媒を油とする温度自動制御機能付きの電気ヒーター加熱装置１２により循環加熱された加熱殺菌容器６と、破砕機２にて破砕された原料を加熱殺菌容器６に搬送する原料ポンプスクリュー３及び第１ラメラポンプ４と、第１ラメラポンプ４と加熱殺菌容器６とを繋ぐ原料移送パイプ５と、第２ラメラポンプ９にて加熱殺菌処理後の獣畜体（以下、便宜上「製品」と称する）を加熱殺菌容器６から搬出する製品払出スクリュー７、製品ポンプ供給スクリュー８並びに製品移送パイプ１０を介して蓋付密封金属容器１１に移送充填し、化製工場へ搬送するようにされている。
【００１０】
換言すれば、本発明は、上記のレンダリング設備を、牽引車両の荷台に据付固定し、指定場所まで移動後、その場で半固定して感染獣畜を連続的に破砕しながら加熱殺菌処理するものであり、別途併走した電源供給設備（図示せず）より電源を配電盤１４に接続して電力を供給して稼動するようにされている。すなわち、破砕機２から第２ラメラポンプまでのエリアを隔離する障壁を仮設し汚染拡大を防止する。
【００１１】
尚、本実施例に係る搬送手段としては、原料ポンプスクリュー３に代表されるスクリューコンベアが概ね使用されており、外形が円筒形状の加熱殺菌容器６の内部にもスクリューコンベアが回動可能に軸支され、破砕機２にて破砕されて投入された原料を所定温度に加熱しながら所定時間かけて殺菌した状態の製品として排出するようにされている。本実施例装置の処理能力は約７〜１０ｔ／時で、鶏（個体重量：１羽３ｋｇ換算）、豚（個体重量：１頭１００ｋｇ換算）、牛（個体重量：１頭３００〜５００ｋｇ換算）とした場合、１時間当り、鶏は２３００〜３３００羽、豚は７０〜１００頭、牛は１７〜２５頭の処理が可能である。
【００１２】
尚、本発明における各ユニットの構成や各種装置の形状や構造等の設計変更、材質の転換及び使用態様の変更など、本発明の要旨を変更しない範囲において自由に変更することができる。例えば、比較的少量の電力で処理できる原料量であれば、電源としてシャーシ上に蓄電池を搭載するようにしてもよい。
【符号の説明】
【００１３】
１  原料投入ホッパー
２  破砕機
３  原料ポンプ供給スクリュー
４  第１ラメラポンプ（原料移送）
５  原料移送パイプ
６  加熱殺菌容器
７  製品払出スクリュー
８  製品ポンプ供給スクリュー
９  第２ラメラポンプ（製品移送）
１０  製品移送パイプ
１１  蓋付密閉金属容器
１２  熱媒自動加熱装置
１３  熱循環パイプ
１４  配電盤
１５  トレーラーシャーシ
【図１】
2012217629.tif 000003
【図２】
2012217629.tif 000004
【図３】
2012217629.tif 000005
【図４】
2012217629.tif 000006
【図５】
2012217629.tif 000007
【図６】
2012217629.tif 000008